(57)【要約】【課題】  簡単な操作で、撮像した画像の測距点の場所およびピントの状況を容易に把握でき、どの撮像画像を何枚プリントするのかを示すプリント情報を設定することが可能なプリント情報設定装置、カメラおよびプリンタを提供すること。【解決手段】  第１の操作部材、第２の操作部材および表示装置を有し、撮像画像の画像データおよび前記撮像画像が撮像されたときの合焦領域を示す測距位置データを入力し、前記表示装置に前記撮像画像、および前記測距位置データに基づいた指標を表示し、前記第１の操作部材の操作に基づいて、前記表示装置に前記測距位置データに基づいた前記撮像画像の所定の部分の拡大画像を表示し、前記第２の操作部材の操作に基づいて、前記撮像画像のプリント枚数を示すプリント情報を設定する。【選択図】        図３
2006324861.tif 000002
【特許請求の範囲】
【請求項１】
画像データ入力手段で入力された画像データを表示する表示装置を有するプリント情報設定装置において、
第１の操作部材と、
第２の操作部材と、
画像データ入力手段で入力された画像データが撮像されたときの合焦領域を示す測距位置データを入力する測距位置データ入力手段と、
前記表示装置に、前記画像データに基づく撮像画像の全体、および前記測距位置データに基づいた指標を表示し、
前記第１の操作部材の操作に応じて、前記表示装置に前記測距位置データに基づいた前記撮像画像の所定の部分の拡大画像を表示し、
前記第２の操作部材の操作に応じて、前記撮像画像のプリント枚数を示すプリント情報を設定する制御手段とを有することを特徴とするプリント情報設定装置。
【請求項２】
前記制御手段は、
前記第１の操作部材の操作に応じて、
前記表示装置に撮像画像の全体が表示されている場合には、前記拡大画像を表示し、
前記表示装置に前記拡大画像が表示されている場合には、そのとき表示されている撮像画像とは異なる撮像画像を表示することを特徴とする請求項１に記載のプリント情報設定装置。
【請求項３】
前記制御手段は、
前記撮像画像の全体が表示されている場合または拡大画像が表示されている場合のいずれの状態においても、
前記第２の操作部材の操作に応じて、前記表示装置に表示されている撮像画像のプリント枚数を示すプリント情報を設定することを特徴とする請求項１乃至２の何れか１項に記載のプリント情報設定装置。
【請求項４】
請求項１乃至３の何れか１項に記載のプリント情報設定装置を有することを特徴とするカメラ。
【請求項５】
前記カメラは、プリンタとの接続手段を有し、
前記プリンタと前記カメラとの接続を検出した場合に、前記プリント情報設定装置の動作を開始させることを特徴とする請求項４に記載のカメラ。
【請求項６】
請求項１乃至３の何れか１項に記載のプリント情報設定装置を有することを特徴とするプリンタ。
【請求項７】
前記プリンタは、カメラとの接続手段を有し、
前記カメラと前記プリンタとの接続を検出した場合に、前記プリント情報設定装置の動作を開始させることを特徴とする請求項６に記載のプリンタ。
【請求項８】
前記プリンタは、記録媒体との接続手段を有し、
前記記録媒体と前記プリンタとの接続を検出した場合に、前記プリント情報設定装置の動作を開始させることを特徴とする請求項６に記載のプリンタ。
【発明の詳細な説明】
【技術分野】
【０００１】
本発明はプリント情報設定装置に関する。
【背景技術】
【０００２】
撮像装置で撮影された画像をプリントするにあたって、撮像装置とプリンタとをパーソナルコンピュータなどを介さずに直接接続して、撮像された画像をプリントするシステムが提案され（例えば特許文献１参照）、現在実用化されている。
【０００３】
また、撮影した画像のピント合わせの結果の確認を容易とするために、ピント合わせを行う合焦領域近傍を拡大表示する撮像装置が提案されている（例えば特許文献２参照）。
【特許文献１】特開２００１−２５３１２２号公報
【特許文献２】特開２０００−１２５１７８号公報
【発明の開示】
【発明が解決しようとする課題】
【０００４】
しかしながら例えば特許文献１の方法では、表示される画像の倍率が小さいため、撮影された画像のどの部分にピントが合っているのかが容易に判断できなかった。また、ピントを合わせた部分に実際にピントが合っているかどうかを判断するのが不可能であった。したがって、表示した画像がプリントするのに値する品質の画像であるかどうかが容易に判断できなかった。
【０００５】
また、特許文献２に開示された撮像装置では、測距位置付近の画像を画面全体に表示するため、測距点の場所およびピントの状況を把握するのは容易である。しかしこの撮像装置では、その画像をプリントする場合のプリント枚数などの設定をすることができなかった。
【０００６】
したがって本発明の目的とするところは、簡単な操作で、撮像した画像の測距点の場所およびピントの状況を容易に把握でき、どの撮像画像を何枚プリントするのかを示すプリント情報を設定することが可能なプリント情報設定装置を提供することである。
【課題を解決するための手段】
【０００７】
（請求項１）
画像データ入力手段で入力された画像データを表示する表示装置を有するプリント情報設定装置において、
第１の操作部材と、
第２の操作部材と、
画像データ入力手段で入力された画像データが撮像されたときの合焦領域を示す測距位置データを入力する測距位置データ入力手段と、
前記表示装置に、前記画像データに基づく撮像画像の全体、および前記測距位置データに基づいた指標を表示し、
前記第１の操作部材の操作に応じて、前記表示装置に前記測距位置データに基づいた前記撮像画像の所定の部分の拡大画像を表示し、
前記第２の操作部材の操作に応じて、前記撮像画像のプリント枚数を示すプリント情報を設定する制御手段とを有することを特徴とするプリント情報設定装置。
【０００８】
（請求項２）
前記制御手段は、
前記第１の操作部材の操作に応じて、
前記表示装置に撮像画像の全体が表示されている場合には、前記拡大画像を表示し、
前記表示装置に前記拡大画像が表示されている場合には、そのとき表示されている撮像画像とは異なる撮像画像を表示することを特徴とする請求項１に記載のプリント情報設定装置。
【０００９】
（請求項３）
前記制御手段は、
前記撮像画像の全体が表示されている場合または拡大画像が表示されている場合のいずれの状態においても、
前記第２の操作部材の操作に応じて、前記表示装置に表示されている撮像画像のプリント枚数を示すプリント情報を設定することを特徴とする請求項１乃至２の何れか１項に記載のプリント情報設定装置。
【００１０】
（請求項４）
請求項１乃至３の何れか１項に記載のプリント情報設定装置を有することを特徴とするカメラ。
【００１１】
（請求項５）
前記カメラは、プリンタとの接続手段を有し、
前記プリンタと前記カメラとの接続を検出した場合に、前記プリント情報設定装置の動作を開始させることを特徴とする請求項４に記載のカメラ。
【００１２】
（請求項６）
請求項１乃至３の何れか１項に記載のプリント情報設定装置を有することを特徴とするプリンタ。
【００１３】
（請求項７）
前記プリンタは、カメラとの接続手段を有し、
前記カメラと前記プリンタとの接続を検出した場合に、前記プリント情報設定装置の動作を開始させることを特徴とする請求項６に記載のプリンタ。
【００１４】
（請求項８）
前記プリンタは、記録媒体との接続手段を有し、
前記記録媒体と前記プリンタとの接続を検出した場合に、前記プリント情報設定装置の動作を開始させることを特徴とする請求項６に記載のプリンタ。
【発明の効果】
【００１５】
請求項１に係る発明によれば、測距位置データに基づいた撮像画像の所定の部分を拡大表示するので、撮影画像の測距位置およびピントの状況を容易に把握することができ、その情報に基づいてプリント枚数を設定することが可能である。また、その操作は第１の操作部材および第２の操作部材で行うので操作が簡単である。
【００１６】
請求項２に係る発明によれば、第１の操作部材のみの簡単な操作により、測距位置近傍の拡大画像を表示させること、および現在表示させている撮像画像の次の撮像画像を表示させることができるため、撮影画像の測距位置およびピントの状況の確認を容易に行うことが可能である。
【００１７】
請求項３に係る発明によれば、画像が全体表示の場合でも拡大表示の場合でもプリント枚数を設定することが可能であるので、撮像画像の測距位置およびピントの状況の確認をしながら簡単にプリント枚数を設定することができる。
【００１８】
請求項４に係る発明によれば、本発明のカメラは、請求項１乃至３の何れか１項に記載されたプリント情報設定装置を有しているので、カメラの操作により、撮像画像の測距位置およびピントの状況の確認をしながら簡単にプリント枚数を設定することができる。
【００１９】
請求項５に係る発明によれば、本発明のカメラはプリンタを接続することが可能であり、カメラにプリンタを接続することにより、第１の操作部材および第２の操作部材による測距位置の確認、ピント状態の確認およびプリント枚数の設定など、プリント枚数設定のための動作が可能になるので、簡単な操作で撮像画像のプリント枚数の設定が可能である。
【００２０】
請求項６に係る発明によれば、本発明のプリンタは請求項１乃至３の何れか１項に記載されたプリント情報設定装置を有しているので、プリンタの操作により、撮像画像の測距位置およびピントの状況の確認をしながら簡単にプリント枚数を設定することができる。
【００２１】
請求項７に係る発明によれば、カメラをプリンタに接続すると、第１の操作部材および第２の操作部材による測距位置の確認、ピント状態の確認およびプリント枚数の設定など、プリント枚数設定のための動作が可能になるので、簡単な操作でプリント枚数を設定することができる。
【００２２】
請求項８に係る発明によれば、プリンタにカメラを接続することなく、記録媒体をプリンタに接続ことにより、撮像画像を表示装置に表示し、第１の操作部材および第２の操作部材による測距位置の確認、ピント状態の確認およびプリント枚数の設定が可能になるので、簡単な操作でプリント枚数を設定することができる。
【発明を実施するための最良の形態】
【００２３】
以下、図面に基づき本発明に係るプリント情報設定装置の実施形態を説明する。
【００２４】
（第１の実施形態）
図１は本実施形態のデジタルカメラの側面図である。符号１はデジタルカメラ、符号２は撮影レンズである。符号３は外部端子カバーであり、内部にプリンタなどの外部機器（不図示）との接続手段であり、通信に用いられるＵＳＢ（Ｕｎｉｖｅｒｓａｌ  Ｓｅｒｉａｌ  Ｂｕｓ）端子、ビデオモニターに画像を出力するＡＶ（Ａｕｄｉｏ  Ｖｉｓｕａｌ）出力端子が設けられている。符号４はＥＶＦ（Ｅｌｅｃｔｒｏｎｉｃ  Ｖｉｅｗ  Ｆｉｎｄｅｒ）接眼窓、符号５は表示装置として機能するＬＣＤ（Ｌｉｑｕｉｄ  Ｃｒｙｓｔａｌ  Ｄｉｓｐｌａｙ）、符号６は暗いときに発光して被写体を照明するポップアップ式のフラッシュ発光部である。
【００２５】
図２は本実施形態のデジタルカメラの背面図である。図２において、図１と同じ機能の要素には同じ符号を付して、その説明は省略する。
【００２６】
図２において、符号７は、カメラの操作を行うための十字キーであり、右ボタン７ａ、下ボタン７ｂ、左ボタン７ｃ、上ボタン７ｄで構成されている。右ボタン７ａは第１の操作部材として機能する。十字キーは液晶５に表示させたカーソルを移動させるのにも用いられる。符号８はカーソル入力の決定を行うための決定ボタンであり、第２の操作部材としても機能する。符号９はＬＣＤ５にメニュー表示を行わせるためのメニューボタン、符号１０は撮像した画像をＬＣＤ５に表示させたり、どの撮像画像を何枚プリントするのかを示すプリント情報を確定させたりするためのプリント情報確定ボタンである。符号１１は撮影レンズ２のズーミングを行うためのズームボタン、符号１２はデジタルカメラ１の電源のオン／オフを行うための電源スイッチである。
【００２７】
図３は本デジタルカメラ１と撮像した画像をプリントするためのプリンタ１５を接続した状態を示す図である。図３において、図２と同じ機能の要素には同じ符号を付して、その説明は省略する。
【００２８】
図３において、符号１６はデジタルカメラ１とプリンタ１５とを接続するための通信ケーブルであり、本実施形態では例えばＵＳＢケーブルが用いられ、その一端はデジタルカメラ１のＵＳＢ端子、その他端は、プリンタのＵＳＢ端子（不図示）に接続されている。プリンタのＵＳＢ端子は、例えばカメラなどの外部機器との接続手段として機能する。符号１７はプリンタ用紙の給紙部、符号１８はプリントされたプリント用紙が排出される用紙排出口である。
【００２９】
図４は本デジタルカメラ１のブロック図である。図４において、図１、図２および図３と同じ機能の要素には同じ符号を付した。
【００３０】
図４において、符号２は撮影レンズであり、被写体（不図示）の像を撮像素子であるＣＣＤ（Ｃｈａｒｇｅ  Ｃｏｕｐｌｅｄ  Ｄｅｖｉｃｅ）の受光面に結像させる。符号２ａは撮影レンズ２の変倍光学系、符号２ｂは撮影レンズ２の焦点合わせ光学系である。符号４３は信号処理部であり、ＣＣＤからの出力信号の黒レベル補正などを行う。符号４４はＡ／Ｄコンバータで、信号処理部４３から出力される画像信号をデジタルの画像データに変換する。符号４５は画像処理回路で、カメラＣＰＵ５３に接続され、カメラＣＰＵ５３の制御の下、画像データのシェーディング補正、ホワイトバランス補正、ガンマ補正などを行い、補正された画像データを画像メモリ４６に記憶する。画像メモリ４６に記憶された画像データはカメラＣＰＵ５３に読み込まれ、ビデオメモリであるＶＲＡＭ−１（５６）およびＶＲＡＭ−２（５８）に出力されて、それぞれＥＶＦ５７およびＬＣＤ５に表示される。上述したＣＣＤ４２からＥＶＦ５７およびＬＣＤ５における動作はＣＣＤ４２の出力信号のフレーム毎に行われ、ＥＶＦ５７およびＬＣＤ５には被写体のライブビュー画像が表示される。
【００３１】
符号４８はタイミング制御回路であり、カメラＣＰＵ５３の制御の下、ＣＣＤ４２、信号処理部４３およびＡ／Ｄコンバータ４４へ供給するタイミングパルスを生成する。符号４９は焦点調節制御回路であり、カメラＣＰＵ５３において、画像データを元に計算されてオートフォーカスに用いられるＡＦ信号に基づいて、撮影レンズ２の焦点合わせ光学系２ｂを駆動して焦点合わせを行う。符号５０はズーム駆動制御部であり、カメラＣＰＵ５３の制御の下、撮影レンズ２の変倍光学系２ａを駆動してズーム動作を行う。符号５２はフラッシュ制御回路であり、カメラＣＰＵ５３の制御の下、フラッシュ発光部６を発光させる。
【００３２】
複数のスイッチで構成された操作ＳＷ４７は、十字キー７、決定ボタン８、メニューボタン９、プリント情報確定ボタン１０、ズームボタン１２から構成されており、カメラＣＰＵ５３はこれらのスイッチの操作を検出してカメラの制御を行う。
【００３３】
符号６１は着脱自在のメモリカードであり、撮像された画像の画像データ、およびその画像データを撮像する場合に、画面のどの領域を合焦領域としてピントを合わせたかを示す測距位置データ、プリント情報およびプリントステータス（後述する）を記憶する。メモリカード６１はメモリカードのインタフェースであるカードＩ／Ｆ６０を介してカメラＣＰＵ５３に接続され、メモリカード６１へのプリント情報およびプリントステータス（後述する）の書き込み、およびカメラＣＰＵ５３へのデータの読み出しが行われ、画像データ入力手段及び測距位置データ入力手段として機能する。符号６２は外部機器との通信インタフェースである通信用Ｉ／Ｆであり、通信ケーブル１６を介して外部機器と接続され、カメラＣＰＵ５３と外部機器との間でデータの通信を行う。本実施形態では外部機器としては例えばプリンタが用いられる。
【００３４】
符号５４はカメラ制御部であり、上述したデジタルカメラ１の動作の制御を行う。符号５５は制御手段として機能するプリント情報設定制御部であり、後述するプリント情報設定に関する制御を行う。
【００３５】
図３および図４において、プリント情報設定制御部５５、ＬＣＤ５、右ボタン７ａおよび決定ボタン８でプリント情報設定装置を構成している。
【００３６】
図５はプリンタ１５のブロック図である。図５において、図３と同じ機能を有する要素には同じ符号を付した。図５において、符号７１はプリンタＣＰＵに制御され紙送りや印刷ヘッドの駆動などを行う機械部分である。符号７２は、紙送りの指示などをプリンタＣＰＵに入力するスイッチで構成されている操作部である。符号７７は外部機器との通信インタフェースである通信用Ｉ／Ｆであり、通信ケーブル１６を介して外部機器と接続され、プリンタＣＰＵ７３と外部機器との間でデータの通信を行う。本実施形態では外部機器としては例えばカメラが用いられる。符号７４はプリンタ制御部であり、上述したプリンタ１５の動作の制御を行う。
【００３７】
次に、本実施形態を図３に示すように接続した状態での、プリント情報設定に関する制御を含めた本実施形態の動作を図６、図７、図８および図９を用いて説明する。
【００３８】
図６は、ＬＣＤ５の各種画面表示を説明する図である。図６ａ、図６ｂ、図６ｃ、図６ｄ、図６ｅ、図６ｆはデジタルカメラ１のＬＣＤ５の表示を示す。図６ａ、図６ｂ、図６ｃ、図６ｄ、図６ｅ、図６ｆにおいて、同じ機能の要素には同じ符号が付されている。
【００３９】
図６ａは、デジタルカメラ１とプリンタ１５とを通信ケーブル１６を用いて接続し、デジタルカメラ１およびプリンタ１５の電源をオンにしたときの、デジタルカメラ１のＬＣＤ５の表示を示す。カメラＣＰＵ５３はプリンタ１５の接続を検出してプリント情報設定制御部５５の動作をスタートさせる。プリント情報設定制御部５５は、メモリカード６１から記憶された画像データおよび測距位置データを読み出し、ＬＣＤ５に撮像画像のサムネイルを表示する。サムネイル画像には測距位置データに基づいた合焦領域を示す指標も表示する。図６ａにおいて、符号２０はＬＣＤ５の画枠である。符号２１、符号２２、符号２３、符号２４はそれぞれ撮像画像のサムネイル画像である。サムネイル画像の配列される順序は、例えば画像が撮像された順であり、撮像された画像には撮像された順にコマ番号が与えられている。具体的には、サムネイル画像２１が示す撮像画像はメモリカード６１に記憶されている画像の１コマ目である。符号３７は複数表示されているサムネイル画像のどの画像が選択状態にあるかを示す選択表示マークである。符号２５はメモリカード６１からプリント情報設定制御部５５に読み込まれた測距位置データに基づいて表示された指標となる合焦領域表示である。それぞれの撮像画像は、この合焦領域表示２５が示す領域近傍にピントを合わせて撮像されたことを示す。図６ａの表示状態において、決定ボタン８を押しサムネイル画像２１の選択を確定させるとその画像が画枠２０一杯に表示され、右ボタン７ａが押されると選択表示マーク３７はコマ番号が増加する方向に移動し、左ボタン７ｃが押されると表示選択マーク３７はコマ番号が減少する方向に移動する。
【００４０】
図６ｂは、図６ａの状態において決定ボタン８が押された場合のＬＣＤ５の表示状態を示す。図６ｂにおいては、サムネイル表示２１が示していた１コマ目の撮像画像の全体が画枠２０一杯に表示されている。以降、この状態を撮像画像の全体表示と呼ぶ。図６ｂにおいて、符号２６は表示されている画像がメモリカード６１に記憶されている画像の何コマ目にあたるかを示すコマ番号表示である。例えばこの画像は１コマ目の画像であるので、コマ番号表示は「００１」となっている。符号２７はこの画像をプリントする枚数を示すプリント枚数表示であり、図６ｂはプリント枚数設定が０枚であることを表示している。符号２８は測距位置データに基づいて表示された指標である合焦領域表示であり、この画像がこの領域の近傍にピントを合わせて撮像されたことを示す。符号２９は拡大マークであり、合焦領域を示す測距位置データ基づいてプリント情報設定制御部５５が規定した所定の部分を示し、例えば合焦領域表示２８で示される領域を中心にしている。右ボタン７ａの操作により拡大画像を表示する場合、この拡大マーク２９の示す領域が拡大される。符号３０、符号３１、符号３２、符号３３は、それぞれ被写体である人物である。図６ｂの場合、合焦領域表示２８は人物３１の顔の部分が合焦領域になっていることを示している。図６ｂの表示状態おいて、決定ボタン８を一度押すたびにプリント枚数は１だけ増加し、右ボタン７ａを押すと拡大マーク２９が示す領域が拡大された画像を表示し、左ボタン７ｃを押すと、例えば撮像時刻を基準に時系列に並んだ撮像画像のうち、現在表示されている撮像画像の１コマ前の撮像画像（以降、「前コマ」と呼ぶ）の全体表示が行われ、上ボタン７ｄを押すとサムネイル表示が行われ、プリント情報確定ボタン１０を押すとプリント情報が表示され、プリント設定された画像がプリンタ１５によりプリントアウトされる。
【００４１】
図６ｃは、図６ｂの状態において右ボタン７ａが押された場合のＬＣＤ５の表示状態を示す。図６ｃにおいては、画枠２０の中には図６ｂの拡大マーク２９で囲まれた領域の拡大画像が表示されている。この状態では、合焦領域表示２８を中心として撮像画像が拡大されているので、撮像画像のピント合わせの良否が容易に判断できる。図６ｃの表示状態において、決定ボタン８を押すたびにプリント枚数表示は１だけ増加し、右ボタン７ａを押すと、例えば撮像時刻を基準に時系列に並んだ撮像画像のうち、現在表示されている撮像画像の１コマ後の撮像画像（以降、「次コマ」と呼ぶ）の全体表示が行われ、左ボタン７ｃを押すと撮像画像の全体表示の状態になり、上ボタン７ｄを押すとサムネイル表示が行われ、プリント情報決確定ボタン１０を押すとプリント情報が表示され、プリント設定された画像がプリンタ１５によりプリントアウトされる。
【００４２】
図６ｄは、図６ｃの状態において決定ボタン８が押された場合のＬＣＤ５の表示状態を示す。図６ｄにおいては、プリント枚数が１枚に設定されたことを表示するためプリント枚数表示２７は「プリント  １枚」と表示している。図６ｄの表示状態において、決定ボタン８を一度押すたびにプリント枚数は１だけ増加し、右ボタン７ａを押すと次コマの全体表示が行われ、左ボタン７ｃを押すと撮像画像の全体表示の状態になり、上ボタン７ｄを押すとサムネイル表示が行われ、プリント情報確定ボタン１０を押すとプリント情報が表示され、プリント設定された画像がプリンタ１５によりプリントアウトされる。
【００４３】
図６ｅは、図６ｄの状態において右ボタン７ａが押された場合のＬＣＤ５の状態を示す。図６ｅにおいては、撮像画像の２コマ目の画像が全体表示されている。コマ番号表示２６は２コマ目の画像であることを示す「００２」を表示している。プリント枚数表示２７はこの画像のプリント枚数設定が０枚であることを表示している。符号２８および符号２９は図６ｂと同様に、それぞれ合焦領域表示および拡大マークである。符号３４は背景、符号３５および符号３６はそれぞれ被写体である人物である。図６ｅの場合、合焦領域表示２８は人物３５の顔の部分が合焦領域になっていることを示している。図６ｅの表示状態において、決定ボタン８を一度押すたびにプリント枚数は１だけ増加し、右ボタン７ａを押すと拡大マーク２９が示す領域が拡大された画像を表示され、上ボタン７ｄを押すとサムネイル表示が行われ、プリント情報確定ボタン１０を押すとプリント情報が表示され、プリント設定された画像がプリンタ１５によりプリントアウトされる。
【００４４】
図６ｆは、図６ｄの表示状態において、左ボタン７ｃが押された場合の状態を示す。図６ｆにおいては、図６ｄにおいて拡大表示されていたコマ番号１の撮像画像が全体表示されている。この状態では図６ｂと同じボタン操作が可能で、図６ｆの表示状態おいて、決定ボタン８を一度押すたびにプリント枚数は１だけ増加し、右ボタン７ａを押すと拡大マーク２９が示す領域が拡大された画像を表示し、左ボタン７ｃを押すと前コマの全体表示が行われ、上ボタン７ｄを押すとサムネイル表示が行われ、プリント情報確定ボタン１０を押すとプリント情報が表示され、プリント設定された画像がプリンタ１５によりプリントアウトされる。
【００４５】
図６ｇは、図６ｂ、図６ｃ、図６ｄ、図６ｅまたは図６ｆでプリント情報確定ボタン１０が押された場合の表示状態である。符号３８は撮像された画像のコマ番号である。符号３９はそれぞれのコマ番号の撮像画像のプリントが設定されているかどうかをしめすプリントステータスであり、「○」は１枚以上のプリント枚数が設定されている場合、「×」は撮像画像の全体表示表示はされたが、１枚以上のプリント枚数の設定がされなかった場合、「−」は未だ撮影画像の全体表示がされていないことを示す。符号４０はそれそれのコマ番号の撮像画像に設定された、プリント情報であるプリント枚数である。
【００４６】
なお、設定されているプリント枚数を０に戻すためには、決定ボタンを長時間（例えば１秒以上）押すようにしてもよい。
【００４７】
図７は上述したボタン操作とＬＣＤ５の表示との関係を示す、表示画像の遷移図である。符号６ａ、６ｂ、６ｃ、６ｄ、６ｅ、６ｆ、６ｇはそれぞれ図６ａ、図６ｂ、図６ｃ、図６ｄ、図６ｅ、図６ｆ、図６ｇに示すＬＣＤ５の表示画像である。
【００４８】
図７において、表示画像６ａで決定ボタン８を押すと表示画像６ｂに遷移する。
【００４９】
表示画像６ｂにおいて、決定ボタン８を押すと表示画像６ｆに遷移し、右ボタン７ａを押すと表示画像６ｃに遷移し、上ボタン７ｄを押すと表示画像６ａに遷移し、プリント情報確定ボタン１０を押すと表示画像６ｇに遷移する。
【００５０】
表示画像６ｃにおいて、決定ボタン８を押す表示画像６ｄに遷移し、右ボタン７ａを押すと表示画像６ｅに遷移し、左ボタン７ｃを押すと表示画像６ｂに遷移し、上ボタン７ｄを押すと表示画像６ａに遷移し、プリント情報決確定ボタン１０を押すと表示画像６ｇに遷移する。
【００５１】
表示画像６ｄにおいて、右ボタン７ａを押すと表示画像６ｅに遷移し、左ボタン７ｃを押すと表示画像６ｆに遷移し、上ボタン７ｄを押すと表示画像６ａに遷移し、決定ボタン８を長時間（例えば１秒以上）押すと表示画像６ｃに遷移し、プリント情報確定ボタン１０を押すと６ｇに遷移する。
【００５２】
表示画像６ｅにおいて、上ボタン７ｄを押すと表示画像６ａに遷移し、プリント情報確定ボタン１０を押すと表示画像６ｇに遷移する。
【００５３】
図６ｆの表示状態おいて、右ボタン７ａを押すと表示画像６ｄに遷移し、上ボタン７ｄを押すと表示画像６ａに遷移し、決定ボタン８を長時間（例えば１秒以上）押すと表示画像６ｂに遷移し、プリント情報確定ボタン１０を押すと表示画像６ｇに遷移する。
【００５４】
次に、上述した本実施形態の動作フローを図７を用いて説明する。図８および図９は本実施形態の制御フローを示すフローチャートである。なお、デジタルカメラ１とプリンタ１５との通信手順の詳細は、「ＣＩＰＡ  ＤＣ−００１−２００３  Ｄｉｇｉｔａｌ  Ｐｈｏｔｏ  Ｓｏｌｕｔｉｏｎｓ  ｆｏｒ  Ｉｍａｇｉｎｇ  Ｄｅｖｉｃｅｓ」（２００３年２月、カメラ映像機器工業会）に規定されたものに従ってもよい。
【００５５】
デジタルカメラ１とプリンタ１５とを通信ケーブル１６を用いて接続し、デジタルカメラ１およびプリンタ１５の電源をオンにすると制御フローはスタートし、ステップＳ１０が実行される。
【００５６】
ステップＳ１０ではカメラＣＰＵ５５はプリンタ１５が接続されているかどうかを判定する。もし、プリンタが接続されていれば（ステップＳ１０：ＹＥＳ）、ステップＳ１２が実行され、プリンタが接続されていなければ（ステップＳ１０：ＮＯ）、ステップＳ１１が実行される。
【００５７】
ステップＳ１１では、カメラＣＰＵ５３はデジタルカメラ１がプリント設定モードに設定されているかどうかを判定する。もし、プリント情報設定モード（プリント情報の設定を行うモード）になっていれば（ステップＳ１１：ＹＥＳ）、ステップＳ１２が実行され、プリント情報設定モードになっていなければ（ステップＳ１１：ＮＯ）、ステップＳ１０が実行される。本デジタルカメラ１では、プリンタ１５と接続してプリント情報の設定を行う以外、デジタルカメラ１を、例えばメニューボタン９、十字キー７および決定ボタンを用いて、情報設定モードに設定することにより、デジタルカメラ単体でのプリント情報の設定が可能である。
【００５８】
ステップＳ１２では、メモリカード６１から撮像画像の画像データ、測距位置データおよびプリント情報がプリント情報設定制御部５５に読み込まれる。
【００５９】
ステップＳ１３では、カメラＣＰＵ５３に読み込まれた画像データおよび測距位置データを基に、プリント情報設定制御部５５が作成した、図６ａに示したサムネイル画像２１、２２、２３、２４およびそれぞれのサムネイル画像において、合焦領域を示す指標２５が、ＬＣＤ５に表示される。
【００６０】
ステップＳ１４では、プリント情報設定制御部５５は、決定ボタン８が押されて選択画像の決定がされたかどうか、すなわち、決定ボタン８がＯＮかどうかを判定する。もし、決定ボタン８が押されている場合には（ステップＳ１４：ＹＥＳ）、ステップＳ１５が実行され、押されていない場合には（ステップＳ１４：ＮＯ）、ステップＳ１４が実行される。
【００６１】
ステップＳ１５では、プリント情報設定制御部５５は、ＬＣＤ５に選択された撮像画像の全体表示を行う。ＬＣＤ５には、図６ｂに示したように、測距位置データに基づいた合焦領域を示す指標２８、および拡大マーク２９の表示も行う。
【００６２】
ステップＳ１６では、プリント情報設定制御部５５は、決定ボタン８が押されたかどうか、すなわち、決定ボタン８がＯＮかどうかを判定する。もし、決定ボタン８が押されている場合には（ステップＳ１６：ＹＥＳ）、ステップＳ１７が実行され、押されていない場合には（ステップＳ１６：ＮＯ）、ステップＳ１８が実行される。
【００６３】
ステップＳ１７では、プリント情報設定制御部５５は、プリント設定枚数を示すデータを１枚分増加させるとともにプリント枚数表示２７のプリント枚数も変更する。
【００６４】
ステップＳ１８では、プリント情報設定制御部５５は、右ボタン７ａが押されたかどうか、すなわち、右ボタン７ａがＯＮかどうかを判定する。もし、右ボタン７ａが押されている場合には（ステップＳ１８：ＹＥＳ）、ステップＳ１９が実行され、押されていない場合には（ステップＳ１８：ＮＯ）、ステップＳ２２が実行される。
【００６５】
ステップＳ１９では、プリント情報設定制御部５５は、現在のＬＣＤ５の表示状態が例えば図６ｂに示すような撮像画像の全体表示かどうかを判定する。もし全体表示の状態であれば（ステップＳ１９：ＹＥＳ）、ステップＳ２０を実行し、全体表示でなければ、すなわち図６ｃに示すような拡大表示であれば、（ステップＳ１９：ＮＯ）、ステップＳ２１を実行する。
【００６６】
ステップＳ２０では、プリント情報設定制御部５５は、ＬＣＤ５に図６ｃに示すような撮像画像の拡大表示を行う。
【００６７】
ステップＳ２１では、プリント情報設定制御部５５は、ＬＣＤ５に図６ｅに示すような次コマの撮像画像の全体表示を行う。ＬＣＤ５には、測距位置データに基づいた合焦領域を示す指標２８、および拡大マーク２９の表示も行う。
【００６８】
ステップＳ２２では、プリント情報設定制御部５５は、左ボタン７ｃが押されたかどうか、すなわち、左ボタン７ｃがＯＮかどうかを判定する。もし、左ボタン７ｃが押されている場合には（ステップＳ２２：ＹＥＳ）、ステップＳ２３が実行され、押されていない場合には（ステップＳ２２：ＮＯ）、ステップＳ２５が実行される。
【００６９】
ステップＳ２３では、プリント情報設定制御部５５は、現在のＬＣＤ５の表示状態が撮像画像の全体表示かどうかを判定する。もし全体表示の状態であれば（ステップＳ２３：ＹＥＳ）、ステップＳ２４を実行し、全体表示でなければ、すなわち拡大表示であれば、（ステップＳ２３：ＮＯ）、ステップＳ１５を実行する。
【００７０】
ステップＳ２４では、プリント情報設定制御部５５は、前コマの全体表示を行う。
【００７１】
ステップＳ２５では、プリント情報設定制御部５５は、上ボタンが押されているかどうか、すなわち、上ボタン７ｄがＯＮかどうかを判定する。もし、上ボタン７ｄが押されている場合には（ステップＳ２５：ＹＥＳ）、ステップＳ１２が実行され、押されていない場合には（ステップＳ２５：ＮＯ）、ステップＳ２６が実行される。
【００７２】
ステップＳ２６では、プリント情報設定制御部５５は、プリント情報確定ボタン１０が押されているかどうか、すなわちプリント情報確定ボタン１０がＯＮかどうかを判定する。もし、プリント情報確定ボタン１０が押されている場合には（ステップＳ２６：ＹＥＳ）、ステップＳ２７が実行され、押されていない場合には（ステップＳ２６：ＮＯ）、ステップＳ１６が実行される。
【００７３】
ステップＳ２７では、プリント情報設定制御部５５は、図６ｇに示したように、ＬＣＤ５にプリント情報およびプリントステータスを表示する。
【００７４】
ステップＳ２８では、カメラＣＰＵ５３は、プリンタ１５が接続されているかどうかを判定する。もし、プリンタが接続されていれば（ステップＳ２８：ＹＥＳ）、ステップＳ３０が実行され、プリンタが接続されていなければ（ステップＳ２８：ＮＯ）、ステップＳ２９が実行される。
【００７５】
ステップＳ２９では、プリント情報設定制御部５５は、プリント情報およびプリントステータスのデータをメモリカード６１に記憶する。
【００７６】
ステップＳ３０では、プリント情報設定制御部５５は、プリント情報およびプリントする撮像画像の画像データをプリンタ１５に出力する。プリンタ１５は出力されたプリント情報および撮像画像の画像データに基づいて、設定された撮像画像を設定された枚数だけプリントアウトする。
【００７７】
ステップＳ３１では、プリント情報設定制御部５５は、プリント情報をリセットする。
【００７８】
ステップＳ３２では、プリント情報設定制御部５５は、プリンタ１５が接続されているかどうかを判定する。もし、プリンタが接続されていれば（ステップＳ３２：ＹＥＳ）、ステップＳ１２が実行され、プリンタが接続されていなければ（ステップＳ３２：ＮＯ）、フローは終了する。
【００７９】
上述したように本実施形態では、撮像画像の全体表示または拡大表示の状態において右ボタン７ａを押した場合、右ボタン７ａを押す前の状態が全体表示のときには拡大表示になり、右ボタン７ａを押す前の状態が拡大表示のときには次コマの全体表示になる。
【００８０】
また、撮像画像の全体表示の状態または拡大表示の状態で決定ボタン８を押した場合、決定ボタンを一度押す度に表示されている画像のプリント設定枚数が１だけ増加する。
【００８１】
本実施形態では、図７のフローチャートに示すように、デジタルカメラ１とプリンタ１５とを接続して電源を投入することにより、自動的にプリント情報を設定するモードが動作する。しかし、本実施形態においては、デジタルカメラ１単体の場合であっても、例えばメニューボタン９、十字キーおよび決定ボタン８の操作により、デジタルカメラ１をプリント情報設定モードにすれば、デジタルカメラ１単体でも、プリント設定情報を設定することができる。
【００８２】
本実施形態によれば、デジタルカメラとプリンタを接続して電源を投入するだけで、プリント情報の設定を行うプリント情報設定モードに入るため、簡単な操作でプリント情報の設定を行うことができる。
【００８３】
本実施形態では第１の操作部材として機能する右ボタン７ａだけの操作で、ＬＣＤ５の表示画像の合焦領域を中心とした拡大、および次コマの全体表示を行うことができるので、簡単な操作で合焦領域の確認および撮像画像のピントの良否を判定しながら次々と撮像画像を切り換えてプリント情報を設定して行くことができる。
【００８４】
本実施形態では、撮像画像の全体表示の状態でも合焦領域を示す指標が表示されるので、所望の被写体が合焦領域になっているかどうかを、全体表示の画像を表示させるだけで簡単に判定することができる。
【００８５】
本実施形態では、撮像画像の全体表示および拡大表示のどちらの状態でも、第２の操作部材である決定ボタン８の操作によりプリント枚数が設定できるので、簡単にプリント枚数を設定することができ使い勝手が良い。
【００８６】
（第２の実施形態）
第２の実施形態が第１の実施形態と異なる点は、第１の実施形態ではカメラＣＰＵ５３の内部に設けられていたプリント情報設定制御部が、第２の実施形態ではプリンタＣＰＵ６３の内部に設けられている点である。したがって、デジタルカメラおよびプリンタの外観は第１の実施形態と同じであるので、簡単のためここではその説明を省略する。また、本実施形態のデジタルカメラを示す符号は、第１の実施形態のデジタルカメラと同じ「１」を用い、本実施形態のプリンタを示す符号は、第１の実施形態のプリンタと同じ「１５」を用いる。
【００８７】
したがって、本実施形態のデジタルカメラ１の側面図は図１、背面図は図２を参照し、デジタルカメラ１とプリンタ１５を接続した図は図３を参照する。
【００８８】
図１０は本実施形態のデジタルカメラ１のブロック図である。図１０において、図４と同じ機能の要素には同じ符号を付した。図１０において、本実施形態が第１の実施形態と異なる点は、第１の実施形態ではカメラＣＰＵ５３の内部に設けられていたプリント情報設定制御部５５が、本実施形態ではプリンタＣＰＵ６３の内部に設けられている点である。したがって、本実施形態ではカメラＣＰＵの機能が第１の実施形態と異なるため、カメラＣＰＵに新たな符号５９を付した。
【００８９】
図１１は本実施形態のプリンタ１５のブロック図である。図１１において、図５と同じ機能の要素には同じ符号を付した。図１１において、本実施形態が第１の実施形態と異なる点は、第１の実施形態では存在していなかったプリント情報設定制御部７９がプリンタＣＰＵ６３の内部に設けられている点である。したがって、本実施形態ではプリンタＣＰＵの機能が第１の実施形態と異なるため、プリンタＣＰＵに新たな符号６３を付した。
【００９０】
カメラＣＰＵ５９は操作ＳＷ４７の操作に関する情報を通信Ｉ／Ｆ６２を介して、プリンタ１５へ送信する機能を有している。また、プリンタＣＰＵ６３は、操作ＳＷ４７の操作に関する情報を通信用Ｉ／Ｆ７７を介して受信している。このことにより、プリント情報設定制御部７９は操作ＳＷ４７を構成する各スイッチのＯＮ／ＯＦＦの状況を知ることができる。
【００９１】
以下、本実施形態の動作を説明する。
【００９２】
まず、本実施形態のＬＣＤ５の画面表示の説明および表示画像の遷移の説明であるが、これらは第１の実施形態と同じであるので、それぞれ図６および図７を参照する。このときプリント情報設定制御部５５をプリント情報設定制御部７９と読み替える。図６および図７の説明は、簡単のためここでは省略する。
【００９３】
次に、本実施形態の動作フローを説明する。図１２は本実施形態のフローチャートである。以下、図１２を参照して、本実施形態の動作フローを説明する。
【００９４】
デジタルカメラ１とプリンタ１５とを通信ケーブル１６を用いて接続し、デジタルカメラ１およびプリンタ１５の電源をオンにすると制御フローはスタートし、ステップＳ４１が実行される。
【００９５】
ステップＳ４１では、メモリカード６１から撮像画像の画像データ、測距位置データおよびプリント情報がプリンタプリント情報設定制御部７９に読み込まれる。
【００９６】
ステップＳ４２では、プリンタＣＰＵ６３に読み込まれた画像データおよび測距位置データを元に、プリント情報設定制御部７９が作成した、図６ａに示したサムネイル画像２１、２２、２３、２４および合焦領域を示す指標２５が、ＬＣＤ５に表示される。
【００９７】
ステップＳ４３では、プリント情報設定制御部７９は、決定ボタン８が押されて選択画像の決定がされたかどうか、すなわち、決定ボタン８がＯＮかどうかを判定する。もし、決定ボタン８が押されている場合には（ステップＳ４３：ＹＥＳ）、ステップＳ４４が実行され、押されていない場合には（ステップＳ４３：ＮＯ）、ステップＳ４３が実行され、決定ボタン８が押されるまで待機する。
【００９８】
ステップＳ４４では、プリント情報設定制御部７９は、ＬＣＤ５に選択された撮像画像の全体表示を行う。ＬＣＤ５には、図６ｂに示したように、測距位置データに基づいた合焦領域を示す指標２８、および拡大マーク２９の表示も行われる。
【００９９】
ステップＳ４５では、プリント情報設定制御部７９は、決定ボタン８が押されたかどうか、すなわち、決定ボタン８がＯＮかどうかを判定する。もし、決定ボタン８が押されている場合には（ステップＳ４５：ＹＥＳ）、ステップＳ４６が実行され、押されていない場合には（ステップＳ４５：ＮＯ）、ステップＳ４７が実行される。
【０１００】
ステップＳ４６では、プリント情報設定制御部７９は、プリント設定枚数を示すデータを１枚分増加させるとともにプリント枚数表示２７のプリント枚数も変更する。
【０１０１】
ステップＳ４７では、プリント情報設定制御部７９は、右ボタン７ａが押されたかどうか、すなわち、右ボタン７ａがＯＮかどうかを判定する。もし、右ボタン７ａが押されている場合には（ステップＳ４７：ＹＥＳ）、ステップＳ４８が実行され、押されていない場合には（ステップＳ４７：ＮＯ）、ステップＳ５１が実行される。
【０１０２】
ステップＳ４８では、プリント情報設定制御部７９は、現在のＬＣＤ５の表示状態が例えば図６ｂに示すような撮像画像の全体表示かどうかを判定する。もし全体表示の状態であれば（ステップＳ４８：ＹＥＳ）、ステップＳ４９を実行し、全体表示でなければ、すなわち図６ｃに示すような拡大表示であれば、（ステップＳ４８：ＮＯ）、ステップＳ５０を実行する。
【０１０３】
ステップＳ４９では、プリント情報設定制御部７９は、ＬＣＤ５に図６ｃに示すような撮像画像の拡大表示を行う。
【０１０４】
ステップＳ５０では、プリント情報設定制御部７９は、ＬＣＤ５に図６ｅに示すような次コマの撮像画像の全体表示が行う。ＬＣＤ５には、測距位置データに基づいた合焦領域を示す指標２８、および拡大マークの表示２９も行われる。
【０１０５】
ステップＳ５１では、プリント情報設定制御部７９は、左ボタン７ｃが押されたかどうか、すなわち、左ボタン７ｃがＯＮかどうかを判定する。もし、左ボタン７ｃが押されている場合には（ステップＳ５１：ＹＥＳ）、ステップＳ５２が実行され、押されていない場合には（ステップＳ５１：ＮＯ）、ステップＳ５４が実行される。
【０１０６】
ステップＳ５２では、プリント情報設定制御部７９は、現在のＬＣＤ５の表示状態が撮像画像の全体表示かどうかを判定する。もし全体表示の状態であれば（ステップＳ５２：ＹＥＳ）、ステップＳ５３を実行し、全体表示でなければ、すなわち拡大表示であれば、（ステップＳ５２：ＮＯ）、ステップＳ４４を実行する。
【０１０７】
ステップＳ５３では、プリント情報設定制御部７９は、前コマの全体表示を行う。
【０１０８】
ステップＳ５４では、プリント情報設定制御部７９は、上ボタン７ｄが押されているかどうか、すなわち、上ボタン７ｄがＯＮかどうかを判定する。もし、上ボタン７ｄが押されている場合には（ステップＳ５４：ＹＥＳ）、ステップＳ４１が実行され、押されていない場合には（ステップＳ５４：ＮＯ）、ステップＳ５５が実行される。
【０１０９】
ステップＳ５５では、プリント情報設定制御部７９は、プリント情報確定ボタン１０が押されているかどうか、すなわちプリント情報確定ボタン１０がＯＮかどうかを判定する。もし、プリント情報確定ボタン１０が押されている場合には（ステップＳ５５：ＹＥＳ）、ステップＳ５６が実行され、押されていない場合には（ステップＳ５５：ＮＯ）、ステップＳ４５が実行される。
【０１１０】
ステップＳ５６では、プリント情報設定制御部７９は、図６ｇに示したように、ＬＣＤ５にプリント情報およびプリントステータスを表示する。
【０１１１】
ステップＳ５７では、プリント情報設定制御部７９は、プリント情報および撮像画像の画像データに基づいて、プリンタ制御部７４に、設定された撮像画像を設定された枚数だけプリントアウトさせる。
【０１１２】
ステップＳ５８では、プリント情報設定制御部７９は、プリント情報およびプリントステータスをリセットする。
【０１１３】
本実施形態によれば、デジタルカメラとプリンタを接続して電源を投入するだけで、プリント情報の設定を行うプリント情報設定モードに入るため、簡単な操作でプリント情報の設定を行うことができる。
【０１１４】
本実施形態では第１の操作部材として機能する右ボタン７ａだけの操作で、ＬＣＤ５の表示画像の合焦領域を中心とした拡大、および次コマの全体表示を行うことができるので、簡単な操作で合焦領域の確認および撮像画像のピントの良否を判定しながら次々と撮像画像を切り換えてプリント情報を設定して行くことができる。
【０１１５】
本実施形態では、撮像画像の全体表示の状態でも合焦領域を示す指標が表示されるので、所望の被写体が合焦領域になっているかどうかを、全体表示の画像を表示させるだけで簡単に判定することができる。
【０１１６】
本実施形態では、撮像画像の全体表示および拡大表示のどちらの状態でも、第２の操作部材である決定ボタン８の操作によりプリント枚数が設定できるので、簡単にプリント枚数を設定することができ使い勝手が良い。
【０１１７】
本実施形態では、プリント情報設定装置７９をカメラＣＰＵ５９ではなくプリンタＣＰＵ７９の内部に設けている。したがって、カメラＣＰＵ５９を簡単な構造で小型にでき、消費電力も小さくできる。したがって、小型化、低消費電力化がより要求されるデジタルカメラに適している。
【０１１８】
（第３の実施形態）
図１３は本実施形態のプリンタの外観図である。符号９０はプリンタ、符号９１はプリンタ用紙の給紙部、符号９２はプリントされたプリント用紙が排出される用紙排出口、符号９３はプリンタ９０の電源のＯＮ／ＯＦＦを行う電源スイッチである。符号９４は十字キーであり、右ボタン９４ａ、下ボタン９４ｂ、左ボタン９４ｃ、上ボタン９４ｄで構成されている。右ボタン９４ａは第１の操作部材として機能する。符号９８はカーソル入力の決定を行うための決定ボタンであり第２の操作部材として機能する。符号９５は、どの撮像画像を何枚プリントするのかを示すプリント情報を確定させるプリント情報確定ボタンである。符号９６は表示装置として機能するＬＣＤ、符号９７は撮像した画像データが記憶されたメモリカードを挿入するメモリカード挿入口であり、その内部には記録媒体接続手段としてのコネクタを有している。
【０１１９】
図１４は本プリンタ９０のブロック図である。図１４において図１１と同じ機能の要素には同じ符号を付して、その説明は省略する。図１４において、符号６１はメモリカード挿入口９７に挿入されたメモリカードであり、カードＩ／Ｆ８２を介して、メモリカード６１に記憶されている画像データ、測距位置データおよびプリント情報データがプリンタＣＰＵ８３に読み込まれる。ＬＣＤ９６は、ビデオメモリであるＶＲＡＭ８１に記憶された画像を表示する。
【０１２０】
本実施形態のプリンタ９０は、デジタルカメラと接続することなく、撮像された画像が記憶されたメモリカードをメモリカード挿入口９７に挿入してプリント情報を設定し、必要な画像をプリントすることができる。
【０１２１】
以下、本実施形態のプリンタの動作を説明する。
【０１２２】
まず、本プリンタのボタン操作とＬＣＤ９６の表示との関係であるが、これは第１の実施形態と同様であるので、図６を参照して説明する。
【０１２３】
図６ａは、プリンタ９０にメモリカード６１が挿入されて、電源スイッチ９３が投入された状態でのＬＣＤ９６の表示を示す。プリンタＣＰＵはメモリカード６１の接続を検出してプリント情報設定制御部７９の動作を開始させる。プリント情報設定制御部７９はメモリカード６１から記憶された画像データおよび測距位置データを読み出し、ＬＣＤ９６に撮像画像のサムネイルを表示する。サムネイル画像には測距位置データに基づいた合焦領域を示す指標も表示する。図６ａにおいて、符号２０はＬＣＤ９６の画枠である。符号２１、符号２２、符号２３、符号２４はそれぞれ撮像画像のサムネイル画像である。サムネイル画像の配列される順序は、例えば画像が撮像された順であり、撮像された画像には撮像された順にコマ番号が与えられている。具体的には、サムネイル画像２１が示す撮像画像はメモリカード６１に記憶されている画像の１コマ目である。符号３７は複数表示されているサムネイル画像のどの画像が選択状態にあるかを示す選択表示マークである。符号２５はメモリカード６１からプリント情報設定制御部７９に読み込まれた測距位置データに基づいて表示された指標である合焦領域表示である。それぞれの撮像画像は、この合焦領域表示２５が示す領域の近傍にピントを合わせて撮像されたことを示す。図６ａの表示状態において、決定ボタン９８を押しサムネイル画像２１の選択を確定させるとその画像が画枠一杯に表示され、右ボタン９４ａが押されると選択表示マークはコマ番号が増加する方向に移動し、左ボタン９４ｃが押されると表示選択マークはコマ番号が減少する方向に移動する。
【０１２４】
以下、図６ｂ、図６ｃ、図６ｄ、図６ｅ、図６ｆの説明は、第１の実施形態での図６ｂ、図６ｃ、図６ｄ、図６ｅ、図６ｆの説明文を参照し、右ボタン７ａを右ボタン９５ａ、左ボタン７ｃを左ボタン９４ｃ、上ボタン７ｄを上ボタン９４ｄ、決定ボタン８を決定ボタン８を決定ボタン９８、プリント情報確定ボタン１０をプリント情報確定ボタン９５、ＬＣＤ５をＬＣＤ９６、プリンタ１５をプリンタ９０、プリント情報設定制御部５５をプリント情報設定制御部７９と読み替える。
【０１２５】
次に、上述した本プリンタ９０の動作フローをフローチャートを用いて説明する。図１５は、本プリンタの動作フローを示すフローチャートである。
【０１２６】
図１５において、プリンタ９０にメモリカード６１が挿入されて、電源スイッチ９３が投入されると制御フローがスタートし、ステップＳ６１が実行される。
【０１２７】
ステップＳ６１では、メモリカード６１から撮像画像の画像データ、測距位置データおよびプリント情報がプリント情報設定制御部７９に読み込まれる。
【０１２８】
ステップＳ６２では、プリント情報設定制御部７９に読み込まれた画像データおよび測距位置データを元に、プリント情報設定制御部７９が作成した、図６ａに示したサムネイル画像２１、２２、２３、２４およびそれぞれのサムネイル画像において合焦領域を示す指標２５が、ＬＣＤ９６に表示される。
【０１２９】
ステップＳ６３では、プリント情報設定制御部７９は、決定ボタン９８が押されて選択画像の決定がされたかどうか、すなわち、決定ボタン９８がＯＮかどうかを判定する。もし、決定ボタン９８が押されている場合には（ステップＳ６３：ＹＥＳ）、ステップＳ６４が実行され、押されていない場合には（ステップＳ６３：ＮＯ）、ステップＳ６３が実行される、決定ボタン９８が押されるまで待機する。
【０１３０】
ステップＳ６４では、プリント情報設定制御部７９は、ＬＣＤ９６に選択された撮像画像の全体表示を行う。ＬＣＤ９６には、図６ｂに示したように、測距位置データに基づいた合焦領域を示す指標２８、および拡大マーク２９の表示も行う。
【０１３１】
ステップＳ６５では、プリント情報設定制御部７９は、決定ボタン９８が押されたかどうか、すなわち、決定ボタン９８がＯＮかどうかを判定する。もし、決定ボタン９８が押されている場合には（ステップＳ６５：ＹＥＳ）、ステップＳ６６が実行され、押されていない場合には（ステップＳ６５：ＮＯ）、ステップＳ６７が実行される。
【０１３２】
ステップＳ６６では、プリント情報設定制御部７９は、プリント設定枚数を示すデータを１枚分増加させるとともにプリント枚数表示２７のプリント枚数も変更する。
【０１３３】
ステップＳ６７では、プリント情報設定制御部７９は、右ボタン９４ａが押されたかどうか、すなわち、右ボタン９４ａがＯＮかどうかを判定する。もし、右ボタン９４ａが押されている場合には（ステップＳ６７：ＹＥＳ）、ステップＳ６８が実行され、押されていない場合には（ステップＳ６７：ＮＯ）、ステップＳ７１が実行される。
【０１３４】
ステップＳ６８では、プリント情報設定制御部７９は、現在のＬＣＤ９６の表示状態が例えば図６ｂに示すような撮像画像の全体表示かどうかを判定する。もし全体表示の状態であれば（ステップＳ６８：ＹＥＳ）、ステップＳ６９を実行し、全体表示でなければ、すなわち図６ｃに示すような拡大表示であれば、（ステップＳ６８：ＮＯ）、ステップＳ７０を実行する。
【０１３５】
ステップＳ６９では、プリント情報設定制御部７９は、ＬＣＤ９６に図６ｃに示すような撮像画像の拡大表示を行う。
【０１３６】
ステップＳ７０では、プリント情報設定制御部５５は、ＬＣＤ９６に図６ｅに示すような次コマの撮像画像の全体表示が行う。ＬＣＤ９６には、測距位置データに基づいた合焦領域を示す指標２８、および拡大マーク２９の表示も行う。
【０１３７】
ステップＳ７１では、プリント情報設定制御部７９は、左ボタン９４ｃが押されたかどうか、すなわち、左ボタン９４ｃがＯＮかどうかを判定する。もし、左ボタン９４ｃが押されている場合には（ステップＳ７１：ＹＥＳ）、ステップＳ７２が実行され、押されていない場合には（ステップＳ７１：ＮＯ）、ステップＳ７４が実行される。
【０１３８】
ステップＳ７２では、プリント情報設定制御部７９は、現在のＬＣＤ９６の表示状態が撮像画像の全体表示かどうかを判定する。もし全体表示の状態であれば（ステップＳ７２：ＹＥＳ）、ステップＳ７３を実行し、全体表示でなければ、すなわち拡大表示であれば、（ステップＳ７２：ＮＯ）、ステップＳ６４を実行する。
【０１３９】
ステップＳ７３では、プリント情報設定制御部７９は、前コマの撮像画像の全体表示を行う。
【０１４０】
ステップＳ７４では、プリント情報設定制御部７９は、サムネイル表示ボタン（例えば、上ボタン９４ｄを割り当てる）が押されているかどうか、すなわち、上ボタン９４ｄがＯＮかどうかを判定する。もし、上ボタン９４ｄが押されている場合には（ステップＳ７４：ＹＥＳ）、ステップＳ６１が実行され、押されていない場合には（ステップＳ７４：ＮＯ）、ステップＳ６５が実行される。
【０１４１】
ステップＳ７５では、プリント情報設定制御部７９は、プリント情報確定ボタン１０が押されているかどうか、すなわちプリント情報確定ボタン１０がＯＮかどうかを判定する。もし、プリント情報確定ボタン１０が押されている場合には（ステップＳ７５：ＹＥＳ）、ステップＳ７６が実行され、押されていない場合には（ステップＳ７５：ＮＯ）、ステップＳ６５が実行される。
【０１４２】
ステップＳ７６では、プリント情報設定制御部７９は、図６ｇに示したように、ＬＣＤ９６にプリント情報およびプリントステータスを表示する。
【０１４３】
ステップＳ７７では、プリント情報設定制御部７９は、プリント情報および撮像画像の画像データに基づいて、プリンタ制御部７４に、設定された撮像画像を設定された枚数だけプリントアウトさせる。
【０１４４】
ステップＳ７８では、プリント情報設定制御部７９は、プリント情報およびプリントステータスをリセットする。
【０１４５】
本実施形態によれば、メモリカード６１をプリンタ９０に挿入して電源を投入するだけで、プリント情報の設定を行うプリント情報設定モードに入るため、簡単な操作でプリント情報の設定を行うことができる。
【０１４６】
本実施形態では第１の操作部材として機能する右ボタン９４ａだけの操作で、ＬＣＤ９６の表示画像の合焦領域を中心とした拡大、および次コマの全体表示を行うことができるので、簡単な操作で合焦領域の確認および撮像画像のピントの良否を判定しながら次々と撮像画像を切り換えてプリント情報を設定して行くことができる。
【０１４７】
本実施形態では、撮像画像の全体表示の状態でも合焦領域を示す指標が表示されるので、所望の被写体が合焦領域になっているかどうか、全体表示の画像を表示させるだけで簡単に判定することができる。
【０１４８】
本実施形態では、撮像画像の全体表示および拡大表示のどちらの状態でも、第２の操作部材である決定ボタン９８の操作によりプリント枚数が設定できるので、簡単にプリント枚数を設定することができ使い勝手が良い。
【０１４９】
第１の実施形態乃至第３の実施形態では、記録媒体からのデータの読み出し、記録媒体へのデータの書き込み、ＬＣＤへの画像の表示、操作ＳＷの状態の判定などはプリント情報設定制御部が行っていた。しかし、これらの工程はＣＰＵのプリント情報設定制御部以外の部分、例えばカメラ制御部やプリンタ制御部に実行させてもよい。
【０１５０】
なお、第１の実施形態乃至第３の実施形態で規定したボタン操作以外にも、右ボタンで次コマを表示させ、左ボタンで前コマを表示させ、決定ボタンを押す度に撮像画像の全体表示と拡大表示を切り換えるようにし、上ボタンでプリント枚数を増加させ、下ボタンでプリント枚数を減少させるようにすることもできる。このとき、右ボタンまたは左ボタンを操作した場合、ＬＣＤの表示が全体画像に設定されていれば、次コマまたは前コマの全体画像を、ＬＣＤが拡大表示に設定されている場合には、次コマまたは前コマの拡大画像を表示することにする。このようにすれば、右ボタン、決定ボタンおよび上ボタンの操作のみで、複数の撮像画像を次々と表示させ、全体表示で合焦領域を確認し、拡大表示でピントの良否を確認し、合わせてプリント枚数を設定するという操作を簡単に行うことができる。このとき、プリントの必要の無い撮像画像がある場合は、その画像の全体表示と拡大表示の両方を表示することなく次コマの表示が行えるので、少ない操作と短い時間でプリント情報の設定を行うことができる。また、例えば、表示を拡大画像に設定しておけば、右ボタンおよび上ボタンのみの操作で、簡単に短時間で拡大表示のみをさせてピントの良否の確認とプリント情報の設定を行うことができる。あるいは、ピントの良否確認が必要ない場合は、全体表示をさせておき、右ボタンおよび上ボタンのみの操作で、簡単に短時間で合焦領域の確認とプリント情報の設定を行うことができる。
【０１５１】
また、ボタン操作は上述以外にも以下のようにしてもよい。
【０１５２】
右ボタンで次コマを表示させ、左ボタンで前コマを表示させ、決定ボタン（第１の操作部材に相当）を押す度に撮像画像の全体表示と拡大表示を切り換えるようにし、上ボタン（第２の操作部材に相当）でプリント枚数を増加させ、下ボタンでプリント枚数を減少させるようにすることもできる。このとき、右ボタンまたは左ボタンを操作した場合、ＬＣＤの表示が拡大表示に設定されている場合でも、右ボタンまたは左ボタンを操作した場合には、必ず次コマまたは前コマの全体表示を行うことにする。このようにすれば、右ボタン、決定ボタンおよび上ボタンの操作のみで、複数の撮像画像を次々と表示させ、全体表示で合焦領域を確認し、拡大表示でピントの良否を確認し、合わせてプリント枚数を設定するという操作を簡単に行うことができる。また、プリントの必要の無い撮像画像がある場合は、その画像を拡大表示することなく次コマの表示が行えるので、少ない操作と短い時間でプリント情報の設定を行うことができる。
【図面の簡単な説明】
【０１５３】
【図１】本発明の第１の実施形態のデジタルカメラの側面図である。
【図２】図１のデジタルカメラの背面図である。
【図３】本発明の第１の実施形態のデジタルカメラとプリンタとを接続した状態を示す図である。
【図４】図１のデジタルカメラのブロック図である。
【図５】図３のプリンタのブロック図である。
【図６】本発明の第１の実施形態のＬＣＤの各種画面表示を示す図である。
【図７】本発明の第１の実施形態のＬＣＤの表示画像の遷移を示す図である。
【図８】本発明の第１の実施形態の制御フローを示すフローチャートである。
【図９】本発明の第１の実施形態の制御フローを示すフローチャートである。
【図１０】本発明の第２の実施形態のデジタルカメラのブロック図である。
【図１１】本発明の第２の実施形態のプリンタのブロック図である。
【図１２】本発明の第２の実施形態の制御フローを示すフローチャートである。
【図１３】本発明の第３の実施形態のプリンタの外観を示す図である。
【図１４】図１３のプリンタのブロック図である。
【図１５】本発明の第３の実施形態の制御フローを示すフローチャートである。
【符号の説明】
【０１５４】
１  デジタルカメラ
２  撮影レンズ
３  外部端子カバー
４  ＥＶＦ接眼窓
５  ＬＣＤ
６  フラッシュ発光部
７  十字キー
８  決定ボタン
９  メニューボタン
１０  プリント情報確定ボタン
１１  ズームボタン
１２  電源スイッチ
１５  プリンタ
１６  通信ケーブル
１７  給紙部
１８  用紙排出口
【図１】
2006324861.tif 000003
【図２】
2006324861.tif 000004
【図３】
2006324861.tif 000005
【図４】
2006324861.tif 000006
【図５】
2006324861.tif 000007
【図６】
2006324861.tif 000008
【図７】
2006324861.tif 000009
【図８】
2006324861.tif 000010
【図９】
2006324861.tif 000011
【図１０】
2006324861.tif 000012
【図１１】
2006324861.tif 000013
【図１２】
2006324861.tif 000014
【図１３】
2006324861.tif 000015
【図１４】
2006324861.tif 000016
【図１５】
2006324861.tif 000017